(57)【特許請求の範囲】
【請求項１】
ほぼ水平に配設した回転軸を中心に回転し、かつ回転軸に沿って振動する截頭円錐状の脱水筒内に砂を分配投入する截頭円錐状の分配コーンを配設した含水率調整装置において、前記分配コーンの内壁には、砂が分配コーンの円周方向に沿って滑るのを阻止して分配コーンの傾斜に沿って移動するように分配コーンと略同一長さの複数本のガイド材を分配コーンの傾斜方向に沿わせると共に、分配コーンの円周方向に沿って所定の間隔で配設したことを特徴とする含水率調整装置。
【発明の詳細な説明】
【０００１】
【発明の属する技術分野】
本発明は、例えば、砂の含水率を調整する装置に関し、特に連続的に含水率を調整できる装置に関する。
【０００２】
【従来の技術】
従来、砂の含水率を連続的に調整する装置として図２に示すように、ほぼ水平に配設した回転軸１に截頭円錐状の脱水筒２を配設し、その内側に投入する砂を脱水筒２に対して分配するための截頭円錐状をした分配コーン３を配設し、脱水筒２と分配コーン３とを一体化して高速回転しながら振動機４により回転軸１の軸心方向に振動させると共に、投入シュート５から砂を連続投入して分配コーン３を経て脱水筒２に導き、高速回転による遠心力を利用して脱水し、砂の含水率を所定の値に調整するようにしたものがある。
【０００３】
【発明が解決しようとする課題】
しかしながら、上記従来の含水率調整装置において、脱水効率を高めようとして脱水筒の回転数を上げていくと、分配コーンに投入した砂が分配コーンの円周方向に沿って滑るようになって分配コーンの傾斜方向に流れにくくなる。このような現象が生じると、分配コーン内の砂の分布が不均一になると共に、分配コーンの出口部で砂が堆積するなどしてバランスが崩れて装置に異常な振動が発生したり、分配コーンの砂の投入側から投入した砂が吹き出たりして運転に支障をきたすことがある。
【０００４】
本発明は上記の点に鑑み、脱水筒の回転数を高めても安定した運転ができて脱水効率を向上させることのできる含水率調整装置を提供することを課題とする。
【０００５】
【課題を解決するための手段】
本発明は上記の課題を解決するために、ほぼ水平に配設した回転軸を中心に回転し、かつ回転軸に沿って振動する截頭円錐状の脱水筒内に砂を分配投入する截頭円錐状の分配コーンを配設した含水率調整装置において、前記分配コーンの内壁には、砂が分配コーンの円周方向に沿って滑るのを阻止して分配コーンの傾斜に沿って移動するように分配コーンと略同一長さの複数本のガイド材を分配コーンの傾斜方向に沿わせると共に、分配コーンの円周方向に沿って所定の間隔で配設したことを特徴としている。
【０００６】
【発明の実施の形態】
本発明の含水率調整装置にあっては、脱水効率を高めるために脱水筒の回転数を上昇させた時、分配コーンに投入された砂が分配コーンの円周方向に沿って滑ろうとするが、分配コーンに配設したガイド材により円周方向に滑るのを阻止される。そして、砂が円周方向に滑ることがなくなると回転軸方向の振動が円滑に砂に伝達されるようになって排出方向へと順調に滑っていく。したがって、分配コーン内に余分な砂が滞留してアンバランスな砂の分布状態を生じさせることがなく、高速で回転しても異常な振動を発生させない。
【０００７】
【実施例】
以下、本発明の実施例を図面に基づいて説明する。
【０００８】
図１は本発明の含水率調整装置を示すものであって、ほぼ水平に回転自在に配設した回転軸１０の先端部に截頭円錐状の脱水筒１１を閉塞板１２を介して取り付けている。脱水筒１１は小径側を回転軸側に、大径側を前方に向けて配設すると共に、傾斜方向に沿って開口させたスリットを所定の間隔で多数設け、小径側から供給した砂を大径側に移動させる間にスリットを通して砂の水分を分離排出できるようにしている。
【０００９】
脱水筒１１の内側には、脱水筒１１の形状を小さくしたような截頭円錐状の分配コーン１３を設け、該分配コーン１３は大径側を脱水筒１１の小径側に向けると共に、前記閉塞板１２と脱水筒１１との間に所定の間隙を設けて回転軸１０と一体化するように取り付けられている。
【００１０】
前記分配コーン１３の内壁には、角棒よりなる所定長さの複数本のガイド材１４を分配コーン１３の傾斜方向に沿わせると共に、分配コーン１３の円周上に所定の間隔で固着している。なお、ガイド材１４は、分配コーン１３の高速回転時に砂が遠心力によって円周方向に沿って滑るのを阻止するために設けるものであって、適宜高さを有する角棒以外の棒材を使用しても良いし、またその長さは分配コーン１３の長さと同一程度であることが好ましい。
【００１１】
また、分配コーン１３の小径側に臨ませて上部に投入口１５を有する砂投入用の投入シュート１６を配設し、投入シュート１６を介して砂を分配コーン１３に投入するようにしている。
【００１２】
１７は回転軸１０の上下に配設した回転式振動機であって、重錘用回転軸１８に重錘１９を偏心させて取り付け、重錘用回転軸１８を回転させることで偏心させた重錘１９により振動を発生させるようにしたものである。そして上下に配設した回転振動機１７を駆動するとき、重錘１９の方向が回転軸１０の軸心と平行になる時点において同一の方向を向くように調整することで回転軸１０の軸心方向に振動を発生することができる。
【００１３】
２０は回転軸１０を回転させる回転用モータであって、回転軸１０の端部に取り付けたプーリ２１と回転用モータ２０に取り付けたプーリ２２とをＶベルト２３により連結し、回転用モータ２０の駆動により回転軸１０を介して脱水筒１１を回転させるようにしている。
【００１４】
しかして、本発明の含水率調整装置により砂の脱水を行う時には、回転用モータ２０を駆動して脱水筒１１を所定の回転数で回転させ、投入シュート１６の投入口１５より湿潤した砂を投入する。投入された砂は投入シュート１６に案内されて回転する分配コーン１３内へと供給され、分配コーン１３内では供給された砂は遠心力により分配コーン１３の内壁に押し付けられながら分配コーン１３の傾斜に沿って前進し、分配コーン１３の先端部に到達するとそこから外周部の脱水筒１１に向けて振り出される。
【００１５】
このとき、分配コーン１３の回転数が高いと、供給された砂は分配コーン１３の回転に追従せずに内壁に押し付けられながら円周に沿ってズレるように滑ることがあるが、そのような現象が生じようとしたときには、分配コーン１３の内壁に配設したガイド材１４がストッパーとなって砂が円周方向にズレるのを阻止すると共に、砂をガイド材１４に沿って先端部へと案内して均一に脱水筒１１に向けて分散する。このことにより、分配コーン１３の内壁における砂の円周方向のズレにより生ずる砂のアンバランスな分布をなくすることができ、それにより砂のアンバランスな分布により引き起こされていた回転軸１０に直交する横振動の発生もなくなるのである。
【００１６】
分配コーン１３の先端部より振り出された砂は、脱水筒１１の傾斜に沿って脱水筒１１の先端部に向けて移動していき、移動中に砂の水分は遠心力により分離されて脱水筒１１の円周部に多数配設したスリットを通過して外部に振り飛ばされる。一方、脱水された砂は脱水筒１１の先端部に到達して排出される。
【００１７】
このように、分配コーン１３の内壁に配設したガイド材１４によって分配コーン内に砂がバランス良く分布されるので、分配コーン１３及び脱水筒１１の回転数をかなり上げれることができて脱水効率を高めることができる。
【００１８】
【発明の効果】
以上のように本発明の含水率調整装置にあっては、分配コーンの内壁には、砂が分配コーンの円周方向に沿って滑るのを阻止して分配コーンの傾斜に沿って移動するように分配コーンと略同一長さの複数本のガイド材を分配コーンの傾斜方向に沿わせると共に、分配コーンの円周方向に沿って所定の間隔で配設したので、分配コーン及び脱水筒の回転数を上げても分配コーン内のガイド材が分配コーン内壁における砂の円周方向のズレを阻止して砂の分布を均一な状態に維持させることができ、脱水筒の回転数を高めても従来生じていた横振動の発生を抑制し、安定した運転がができて脱水効率を高めることができる。
【図面の簡単な説明】
【図１】本発明に係る含水率調整装置の一実施例を示す一部を省略した縦断断面図である。
【図２】従来の含水率調整装置を示す一部を省略した縦断断面図である。
【符号の説明】
１０…回転軸                １１…脱水筒
１３…分配コーン            １４…ガイド材
１６…投入シュート
【図１】
0003884816.tif 000002
【図２】
0003884816.tif 000003